(57)【要約】【課題】簡単な構造で引き戸を閉じた状態で他の引き戸又は壁との間に段差が生じないようにする。【解決手段】レール２を、引き戸３が走行する直線レール部４と、直線レール部４の途中から開口部１を正面からみて背方側に向けて分岐した円弧状レール部６と、直線レール部４の一端部から直線レール部４の延長線よりも開口部１を正面からみて背方側にずれ且つ円弧状レール部６から離れる２方向に向けて連出した回動支点側レール部５とで構成する。円弧状レール部６の円弧を、引き戸３に設けた２個のランナ７のうち一方のランナ７が回動支点側レール部５の奥に位置した状態で該回動支点側レール部５の奥に位置したランナ７を中心に引き戸３を回動した際における他方のランナ７が描く回動軌跡と一致させる。【選択図】        図１
2004293119.tif 000002
【特許請求の範囲】
【請求項１】
開口部に設けたレールに引き戸に設けた２個のランナを走行自在に嵌め込んで開口部を開閉自在とした引き戸の開閉構造であって、レールを、引き戸が走行する直線レール部と、直線レール部の途中から開口部を正面からみて背方側に向けて分岐した円弧状レール部と、直線レール部の一端部から直線レール部の延長線よりも開口部を正面からみて背方側にずれ且つ円弧状レール部から離れる方向に向けて連出した回動支点側レール部とで構成し、円弧状レール部の円弧を、引き戸に設けた２個のランナのうち一方のランナが回動支点側レール部の奥に位置した状態で該回動支点側レール部の奥に位置したランナを中心に引き戸を回動した際における他方のランナが描く回動軌跡と一致させて成ることを特徴とする引き戸の開閉構造。
【請求項２】
開口部に設けたレールに引き戸に設けた２個のランナを走行自在に嵌め込んで開口部を開閉自在とした引き戸の開閉構造であって、レールを、引き戸が走行する直線レール部と、直線レール部の一端部から背方に向けて突出し且つ突出先端側ほど直線レール部の延長線及び平面視で直線レール部の一端部と直交する仮想線から離れる方向に傾斜した傾斜レール部と、傾斜レール部の連出先端部から直線レール部の延長線側に向けて連出した円弧状レール部と、直線レール部の途中から背方側にずれ且つ円弧状レール部側に向いた回動支点側レール部とで構成し、直線レール部への傾斜レール部及び回動支点側レール部の各入口間の距離を２個のランナ間の距離と等しくすると共に、直線レール部の延長線と傾斜レール部とのなす角度を直線レール部と回動支点側レール部とのなす角度よりも大きくし、円弧状レール部の円弧を、引き戸に設けた２個のランナのうち一方のランナが回動支点側レール部の奥に位置した状態で該回動支点側レール部の奥に位置したランナを中心に引き戸を回動した際における他方のランナが描く回動軌跡と一致させて成ることを特徴とする引き戸の開閉構造。
【請求項３】
開口部に設けたレールに引き戸の両端部及び中間部に設けた３個のランナを走行自在に嵌め込んで開口部を開閉自在とした引き戸の開閉構造であって、レールを、引き戸が走行する直線レール部と、直線レール部の途中に開口部を正面から見て背方側に向けて分岐した円弧状レール部と、直線レール部の一端部から直線レール部の延長線よりも開口部を正面からみて背方側にずれ且つ円弧状レール部から離れる方向に向けて連出した端部レール部と、直線レール部の円弧状レール部と端部レール部との中間位置から開口部を正面からみて背方側にずれ且つ円弧状レール部から離れる方向に向けて連出した回動支点側レール部とで構成し、引き戸の一端部側に引き戸の正面側にガイド部材を突設し、該ガイド部材に円弧状をした円弧状溝部を形成すると共に該円弧状溝部にランナを円弧状溝部に沿って移動自在に取付けて移動ランナとし、円弧状レール部の円弧を、引き戸の中間部のランナが回動支点側レール部の奥に位置した状態で該回動支点側レール部の奥に位置した中間部のランナを中心に引き戸を回動した際における移動ランナと反対側の端部に位置するランナが描く回動軌跡と一致させ、円弧状溝部の円弧の曲率半径を中間部のランナから移動ランナまでの長さに等しくし、引き戸の中間部のランナが回動支点側レール部の奥に位置すると共に移動ランナと反対側の端部に位置するランナが円弧状レール部の奥に位置した状態で移動ランナが円弧状溝部の引き戸の正面側で且つ端部レールの奥に位置して成ることを特徴とする引き戸の開閉構造。
【請求項４】
開口部に設けたレールに第１、第２の引き戸の各両端部及び中間部に設けたランナを走行自在に嵌め込んでレールに２個の引き戸を開閉自在に取付けた引き戸の開閉構造であって、レールを、引き戸が走行する直線レール部と、直線レール部の両端部からそれぞれ背方に向けて突出し且つ突出先端側ほど直線レール部の延長線及び平面視で直線レール部の端部と直交する仮想線から離れる方向に傾斜するように連出した両側の傾斜レール部と、各傾斜レール部の連出先端部からそれぞれ直線レール部の延長線側に向けて連出した第１円弧状レール部と、直線レール部を長手方向に２分した左右の直線レール部のそれぞれの途中から背方側にずれ且つ第１円弧状レール部を向く方向に分岐した回動支点側レール部と、長手方向に２分した左右の直線レール部の２分した部分に近い位置からそれぞれ背方側に向けて分岐した第２円弧状レール部とで構成し、レールの一方の片側半部において直線レール部への傾斜レール部及び回動支点側レール部の各入口間の距離を第１の引き戸の一方の端部側に設けたランナと中間部に設けたランナとの間の距離と等しくすると共に直線レール部の延長線と傾斜レール部とのなす角度を直線レール部と回動支点側レール部とのなす角度よりも大きくし、レールの他方の片側半部において直線レール部への傾斜レール部及び回動支点側レール部の各入口間の距離を第２の引き戸の一方の端部側に設けたランナと中間部に設けたランナとの間の距離と等しくすると共に直線レール部の延長線と傾斜レール部とのなす角度を直線レール部と回動支点側レール部とのなす角度よりも大きくし、レールの一方の片側半部に設けた第１円弧状レール部の円弧を、第１の引き戸に設けた中間部のランナが該レールの一方の片側半部の回動支点側レール部の奥に位置した状態で該中間部のランナを中心に第１の引き戸を回動した際に第１の引き戸の一端部のランナが描く回動軌跡と一致させると共に、レールの一方の片側半部に設けた第２円弧状レール部の円弧を、上記第１の引き戸に設けた中間部のランナがレールの片側半部の回動支点側レール部の奥に位置した状態で該中間部のランナを中心に第１の引き戸を回動した際に第１の引き戸の他端部のランナが描く回動軌跡と一致させ、レールの他方の片側半部に設けた第１円弧状レール部の円弧を、第２の引き戸に設けた中間部のランナが該レールの他方の片側半部の回動支点側レール部の奥に位置した状態で該中間部のランナを中心に第２の引き戸を回動した際に第２の引き戸の一端部のランナが描く回動軌跡と一致させると共に、レールの他方の片側半部に設けた第２円弧状レール部の円弧を、上記第２の引き戸に設けた中間部のランナがレールの片側半部の回動支点側レール部の奥に位置した状態で該中間部のランナを中心に第２の引き戸を回動した際に第２の引き戸の他端部のランナが描く回動軌跡と一致させ、第１の引き戸の中間部のランナがレールの一方の片側半部の回動支点側レール部の奥に位置し且つ第１の引き戸の両端部のランナがそれぞれレールの一方の片側半部の第１円弧状レール部の奥及び第２円弧状レール部の奥に位置すると共に、第２の引き戸の中間部のランナがレールの他方の片側半部の回動支点側レール部の奥に位置し且つ第２の引き戸の両端部のランナがそれぞれレールの他方の片側半部の第１円弧状レール部の奥及び第２円弧状レール部の奥に位置した状態で開口部を閉じ、第１の引き戸の中間部のランナがレールの一方の片側半部の回動支点側レール部の奥に位置し且つ第１の引き戸の両端部のランナがそれぞれレールの一方の片側半部の第１円弧状レール部の奥及び第２円弧状レール部の奥に位置すると共に、第２の引き戸の中間部のランナ、両端部のランナがレールの一方の片側半部の直線レール部に位置して該第２の引き戸が第１の引き戸に重なった状態、又は、第２の引き戸の中間部のランナがレールの他方の片側半部の回動支点側レール部の奥に位置し且つ第２の引き戸の両端部のランナがそれぞれレールの他方の片側半部の第１円弧状レール部の奥及び第２円弧状レール部の奥に位置すると共に、第１の引き戸の中間部のランナ、両端部のランナがレールの他方の片側半部の直線レール部に位置して該第１の引き戸が第２の引き戸に重なった状態で開口部を開口巾の略１／２開くように構成して成ることを特徴とする引き戸の開閉構造。
【請求項５】
左右片側半部にそれぞれ直線レール部に連通して設けた傾斜レール部、回動支点側レール部の各入口の位置、第２円弧状レール部と、第１の引き戸の両端部と中間部とに設けた各ランナと第２の引き戸の両端部と中間部とに設けた各ランナとの位置関係が、第１の引き戸の３つのランナがいずれも直線レール部に位置しているとき、レールの一方の片側半部の直線レール部の傾斜レール部の入口と回動支点側レール部の入口とにそれぞれ第１の引き戸の一端部のランナと中間部のランナとが位置した状態でのみ第１の引き戸の３つのランナのうち２つのランナが直線レール部において２つの入口に対向して位置して第１の引き戸を直線レール部に対して傾斜する方向に走行可能とし且つこれ以外の状態では第１の引き戸の３つのランナのうち２つ以上のランナが直線レール部の入口以外の箇所に位置して第１の引き戸を直線レール部に沿った走行のみを可能とし、第２の引き戸の３つのランナがいずれも直線レール部に位置しているとき、レールの他方の片側半部の直線レール部の傾斜レール部の入口と回動支点側レール部の入口とにそれぞれ第２の引き戸の一端部のランナと中間部のランナとが位置した状態でのみ第２の引き戸の３つのランナのうち２つのランナが直線レール部において２つの入口に対向して位置して第２の引き戸を直線レール部に対して傾斜する方向に走行可能とし且つこれ以外の状態では第２の引き戸の３つのランナのうち２つ以上のランナが直線レール部の入口以外の箇所に位置して第２の引き戸を直線レール部に沿った走行のみを可能として成ることを特徴とする請求項４記載の引き戸の開閉構造。
【発明の詳細な説明】
【０００１】
【発明の属する技術分野】
本発明は、引き戸の開閉構造に関するものである。
【０００２】
【従来の技術】
従来から開口部を開閉するためにスライド式の引き戸が一般的に使用してある。なお、本発明における引き戸としては部屋の出入り口としての開口部や、建物の出入り口としての開口部や、収納部の開口部等を開閉する引き戸だけに限定されず、窓用の開口部をスライド式で開閉するサッシ窓も含むものとする。
【０００３】
ところが、引き違い式の引き戸３においては、図１３に示すように引き戸３を閉じた状態で引き戸３同士の端部間に段差Ｄが生じてしまう。また、図示を省略しているが、片引き戸の場合も閉じた状態で隣接する壁に対して段差が生じ、開口部を閉じた状態で収まりが悪くなる。
【０００４】
そこで、上記段差が生じないようするためのレール２の主体を構成する直線レール部４の右側半部と左側半部にそれぞれ図１４に示すように直線レール部４に対して平面視で傾斜した一対の平行な傾斜レール部４０を開口部１を正面からみて背方側に向けて連出して構成し、一方の引き戸３の両端部のランナ７をレール２の一方の片側半部（図１４においては左側半部）の一対の傾斜した傾斜レール部４０の奥に位置させると共に、他方の引き戸３の両端部のランナ７をレール２の他方の片側半部（図１４においては右側半部）の一対の傾斜した傾斜レール部４０の奥に位置させることで開口部１を閉じるようにしたものが提案されている。（例えば、特許文献１参照）
ところが、上記のような従来例にあっては、開口部１の閉状態から開状態にするため引き戸３を開く操作を行ったり、開口部１を開状態から閉状態にするために引き戸３を閉じる操作を行うに当たり、一対の平行な傾斜レール部４０に沿って引き戸３の両端部のランナ７を図１４の矢印方向に示すように斜め背方に移動させることで両ランナ７を平行移動させるようにしている。このため、引き戸３の両端部のランナ７が一対の傾斜レール部４０の入口に位置する状態から両端部のランナ７が一対の傾斜した傾斜レール部４０の奥に移動する際に隣接する他方の引き戸３の端部に当たらないようにするための逃げ寸法Ｍがそれぞれ必要であり、両引き戸３を閉じた際に引き戸３間に上記逃げ寸法Ｍ分の隙間が生じてしまうという問題があった。
【０００５】
また、他の従来例としてはレールを、引き戸の両端部に設けたランナを走行自在に嵌め込んだ直線レール部と、直線レール部に対して直交する戸袋となる一対の直交レール部を連出し、引き戸の両端部に設けたランナを一対の直交レール部に入れた状態で収納し、この一対の直交レール部に入れ引き戸両端部のランナを一対の直交レール部に沿って直線レール部側に移動し、直線レール部に沿って次々と引き戸を走行させて一列にすることで直線レール部に沿って一列に引き戸を並べるようにしたものが知られている。（例えば、特許文献２参照）
ところが、この特許文献２に示されたものは、直線レール部から一対の直交レール部に沿って引き戸両端部に設けたランナを移動させる際に引き戸を直線レール部に対して直交する方向に正確に移動しなければ両ランナが一対の直交レール部にこじるように当たってスムーズに移動できないものである。しかも、直線レール部に対して直交する方向に一対の直交レール部に対して両ランナを正確に移動するには引き戸を左右バランスよく押さねばならず、少しでも引き戸を押す際の左右のバランスがくずれると両ランナが一対の直交レール部にこじるように当たってしまって走行できなくなってしまうという問題がある。
【０００６】
【特許文献１】
特開平１０−２９４３２号公報
【特許文献２】
特開平４−３１５８５号公報
【０００７】
【発明が解決しようとする課題】
本発明は上記の点に鑑みてなされたものであり、簡単な構造で引き戸を閉じた状態で他の引き戸又は壁との間に段差が生じないようにでき、開閉操作も容易に行える引き戸の開閉構造を提供することを課題とするものである。
【０００８】
【課題を解決するための手段】
上記課題を解決するために本発明に係る引き戸の開閉構造は、開口部１に設けたレール２に引き戸３に設けた２個のランナ７を走行自在に嵌め込んで開口部１を開閉自在とした引き戸３の開閉構造であって、レール２を、引き戸３が走行する直線レール部４と、直線レール部４の途中から開口部１を正面からみて背方側に向けて分岐した円弧状レール部６と、直線レール部４の一端部から直線レール部４の延長線よりも開口部１を正面からみて背方側にずれ且つ円弧状レール部６から離れる方向に向けて連出した回動支点側レール部５とで構成し、円弧状レール部６の円弧を、引き戸３に設けた２個のランナ７のうち一方のランナ７が回動支点側レール部５の奥に位置した状態で該回動支点側レール部５の奥に位置したランナ７を中心に引き戸３を回動した際における他方のランナ７が描く回動軌跡と一致させて成ることを特徴とするものである。
【０００９】
このような構成とすることで、引き戸３の一方のランナ７が回動支点側レール部５の奥に位置させた状態で引き戸３を背方に向けて押し込むことで回動支点側レール部５の奥に位置したランナ７を中心に引き戸３を回動して他方のランナ７が円弧状レール部６の奥にスムーズに導入され、これにより、引き戸３を直線レール部４よりも背方に引き込んで位置させて開口部１を閉じることができ、また、この引き戸３が直線レール部４よりも背方に引き込んだ状態から引き戸３を直線レール部４に走行自在に移動させて開口部１を開くに当たっては、引き戸３を前方に向けて引っ張ることで回動支点側レール部５の奥に位置したランナ７を中心に引き戸３を回動して他方のランナ７が円弧状レール部６からスムーズに直線レール部４に移動し、この状態で直線レール部４に沿って引き戸３を移動することで、簡単に開口部１を開くことができるものである。そして、回動支点側レール部５の奥に一方のランナ７を位置させてこれを中心に引き戸３を回動して他方のランナ７を円弧状レール部６に沿って移動させるものであるから、回動支点側レール部５の奥から引き戸３の隣接する壁１４や他の引き戸３の端面に対向する端面までの距離を長く取れ、これにより引き戸３を閉じた状態で該引き戸３の端面と隣接する壁１４や他の引き戸３の端面との間の隙間を小さくしても引き戸３を上記のように回動できるものである。
【００１０】
また、開口部１に設けたレール２に引き戸３に設けた２個のランナ７を走行自在に嵌め込んで開口部１を開閉自在とした引き戸３の開閉構造であって、レール２を、引き戸３が走行する直線レール部４と、直線レール部４の一端部から背方に向けて突出し且つ突出先端側ほど直線レール部４の延長線及び平面視で直線レール部４の一端部と直交する仮想線から離れる方向に傾斜した傾斜レール部８と、傾斜レール部８の連出先端部から直線レール部４の延長線側に向けて連出した円弧状レール部６と、直線レール部４の途中から背方側にずれ且つ円弧状レール部６側に向いた回動支点側レール部５とで構成し、直線レール部４への傾斜レール部８及び回動支点側レール部５の各入口間の距離を２個のランナ７間の距離と等しくすると共に、直線レール部４の延長線と傾斜レール部８とのなす角度を直線レール部４と回動支点側レール部５とのなす角度よりも大きくし、円弧状レール部６の円弧を、引き戸３に設けた２個のランナ７のうち一方のランナ７が回動支点側レール部５の奥に位置した状態で該回動支点側レール部５の奥に位置したランナ７を中心に引き戸３を回動した際における他方のランナ７が描く回動軌跡と一致させて成ることを特徴とすることも好ましい。
【００１１】
このような構成とすることで、引き戸３を閉じて開口部１を閉じるに当たっては、直線レール部４に沿って引き戸３を移動して２個のランナ７をそれぞれ傾斜レール部８及び回動支点側レール部５の各入口に位置させ、この状態で更に引き戸３を閉じ方向に押すことで、２個のランナ７がそれぞれ傾斜レール部８及び回動支点側レール部５内を奥に向かって移動する。この場合、直線レール部４の延長線と傾斜レール部８とのなす角度を直線レール部４と回動支点側レール部５とのなす角度よりも大きくしてあるので、傾斜レール部８内を移動するランナ７が回動支点側レール部５内を移動するランナ７よりも速く進み、これにより引き戸３が直線レール部４に対して傾斜しながら２個のランナ７がそれぞれ傾斜レール部８及び回動支点側レール部５内を奥に向かって移動し、回動支点側レール部５の奥にランナ７が位置した状態で、傾斜レール部８を進んだランナ７が円弧状レール部６の入口に至り、この状態で回動支点側レール部５の奥に位置するランナ７を回動支点として引き戸３を回動させることで、円弧状レール部６の入口に到達しているランナ７が円弧状レール部６に沿って円弧状レール部６の奥に導入され、引き戸３を直線レール部４よりも背方に引き込んで位置させて開口部１を閉じることができる。また、この引き戸３が直線レール部４よりも背方に引き込んだ状態から引き戸３を直線レール部４に走行自在に移動させて開口部１を開くに当たっては、引き戸３を前方に向けて引っ張ることで回動支点側レール部５の奥に位置したランナ７を中心に引き戸３を回動して他方のランナ７が円弧状レール部６の入口に至り、この状態で引き戸３を直線レール部４に沿う方向に引くことで、両ランナ７を傾斜レール部８及び回動支点側レール部５に沿って移動させて直線レール部４に導入することができ、以降は引き戸３を直線レール部４に沿って更に引くことで、引き戸３を直線レール部４に沿って移動して簡単に開口部１を開くことができるものである。そして、回動支点側レール部５の奥に一方のランナ７を位置させてこれを中心に引き戸３を回動して他方のランナ７を円弧状レール部６に沿って移動させるものであるから、回動支点側レール部５の奥から引き戸３の隣接する壁１４や他の引き戸３の端面に対向する端面までの距離を長くとることで、引き戸３を閉じた状態で該引き戸３の端面と隣接する壁１４や他の引き戸３の端面との間の隙間を小さくしても引き戸３を上記のように回動できるものである。
【００１２】
また、開口部１に設けたレール２に引き戸３の両端部及び中間部に設けた３個のランナ７を走行自在に嵌め込んで開口部１を開閉自在とした引き戸３の開閉構造であって、レール２を、引き戸３が走行する直線レール部４と、直線レール部４の途中に開口部１を正面から見て背方側に向けて分岐した円弧状レール部６と、直線レール部４の一端部から直線レール部４の延長線よりも開口部１を正面からみて背方側にずれ且つ円弧状レール部６から離れる方向に向けて連出した端部レール部９と、直線レール部４の円弧状レール部６と端部レール部９との中間位置から開口部１を正面からみて背方側にずれ且つ円弧状レール部６から離れる方向に向けて連出した回動支点側レール部５とで構成し、引き戸３の一端部側に引き戸３の正面側にガイド部材１０を突設し、該ガイド部材１０に円弧状をした円弧状溝部１１を形成すると共に該円弧状溝部１１にランナ７を円弧状溝部１１に沿って移動自在に取付けて移動ランナ７ｄとし、円弧状レール部６の円弧を、引き戸３の中間部のランナ７が回動支点側レール部５の奥に位置した状態で該回動支点側レール部５の奥に位置した中間部のランナ７を中心に引き戸３を回動した際における移動ランナ７ｄと反対側の端部に位置するランナ７ｂが描く回動軌跡と一致させ、円弧状溝部１１の円弧の曲率半径を中間部のランナ７ｃから移動ランナ７ｄまでの長さに等しくし、引き戸３の中間部のランナ７ｃが回動支点側レール部５の奥に位置すると共に移動ランナ７ｄと反対側の端部に位置するランナ７が円弧状レール部６の奥に位置した状態で移動ランナ７ｄが円弧状溝部１１の引き戸３の正面側で且つ端部レール部９の奥に位置して成ることを特徴とすることも好ましい。
【００１３】
このような構成とすることで、引き戸３を閉じて開口部１を閉じるに当たっては、直線レール部４に沿って引き戸３を移動して３個のランナ７のうち移動ランナ７ｄと中間部のランナ７ｃとをそれぞれ端部レール部９及び回動支点側レール部５の各入口に位置させ、この状態で更に引き戸３を閉じ方向に押すことで、３個のランナ７のうち中間ランナ７ｃと移動ランナ７ｄとがそれぞれ端部レール部９及び回動支点側レール部５内を奥に向かって移動し、移動ランナ７ｄと反対側の端部に位置するランナ７ｂが直線レール部４を移動する。この場合、端部レール部９を移動する移動ランナ７ｄは更にガイド部材１０に設けた円弧状溝部１１に沿って移動するため、ランナ７ｂが円弧状レール部６の入口に至り且つ中間部のランナ７ｃが回動支点側レール部５の奥に位置した状態で引き戸３のガイド部材１０を設けた方の端部が端部レール部９よりも背方側にずれた位置まで移動する。この状態で回動支点側レール部５の奥に位置する中間部のランナ７ｃを回動支点として引き戸３を回動させることで、円弧状レール部６の入口に到達している移動ランナ７ｄが円弧状レール部６に沿って円弧状レール部６の奥に導入されると共に、引き戸３の端部が端部レール部９の奥に至った移動ランナ７ｄに対して円弧状溝部１１部分でスライドし、これにより、引き戸３を直線レール部４よりも背方に引き込んで直線レール部４と平行に位置させて開口部１を閉じることができる。また、この引き戸３が直線レール部４よりも背方に引き込んだ状態から引き戸３を直線レール部４に走行自在に移動させて開口部１を開くに当たっては、引き戸３を前方に向けて引っ張ることで回動支点側レール部５の奥に位置した中間部のランナ７ｃを中心に引き戸３を回動してランナ７ｂが円弧状レール部６の入口に至り、また、引き戸３の端部が端部レール部９の奥に至った移動ランナ７ｄに対して円弧状溝部１１部分で上記と逆方向にスライドするので、この状態で引き戸３を直線レール部４に沿う方向に引くことで、ランナ７ｂを直線レール部４に沿って移動させると共に中間部のランナ７ｃを回動支点側レール部５を入口側に移動させ、この際、更に、引き戸３の端部に設けたガイド部材１０の円弧状溝部１１に沿って移動ランナ７ｄが移動しながら更に該移動ランナ７ｄが端部レール部９を入口側に移動して直線レール部４に導入することができ、以降は引き戸３を直線レール部４に沿って更に引くことで、引き戸３を直線レール部４に沿って移動して簡単に開口部１を開くことができるものである。そして、回動支点側レール部５の奥に中間部のランナ７ｃを位置させてこれを中心に引き戸３を回動してランナ７ｂを円弧状レール部６に沿って移動させるものであるから、回動支点側レール部５の奥から引き戸３の隣接する壁や他の引き戸の端面に対向する端面までの距離を長くとることで、引き戸３を閉じた状態で該引き戸３の端面と隣接する壁や他の引き戸の端面との間の隙間を小さくしても引き戸３を上記のように回動できるものである。また、引き戸３の一端部側に突設したガイド部材１０に形成した円弧状溝部１１に移動ランナ７ｄを移動自在に取付けてあるので、端部レール部９の背方への突出長さを回動支点側レール部５の背方への突出長さにすることが可能となり、これにより開口部１から背方に端部レール部９が突出しないようにできる。
【００１４】
また、開口部１に設けたレール２に第１、第２の引き戸３の各両端部及び中間部に設けたランナ７を走行自在に嵌め込んでレール２に２個の引き戸３を開閉自在に取付けた引き戸３の開閉構造であって、レール２を、引き戸３が走行する直線レール部４と、直線レール部４の両端部からそれぞれ背方に向けて突出し且つ突出先端側ほど直線レール部４の延長線及び平面視で直線レール部４の端部と直交する仮想線から離れる方向に傾斜するように連出した両側の傾斜レール部８と、各傾斜レール部８の連出先端部からそれぞれ直線レール部４の延長線側に向けて連出した第１円弧状レール部１２と、直線レール部４を長手方向に２分した左右の直線レール部４のそれぞれの途中から背方側にずれ且つ第１円弧状レール部１２を向く方向に分岐した回動支点側レール部５と、長手方向に２分した左右の直線レール部４の２分した部分に近い位置からそれぞれ背方側に向けて分岐した第２円弧状レール部１３とで構成し、レール２の一方の片側半部において直線レール部４への傾斜レール部８及び回動支点側レール部５の各入口間の距離を第１の引き戸３ａの一方の端部側に設けたランナ７ａと中間部に設けたランナ７ｃとの間の距離と等しくすると共に直線レール部４の延長線と傾斜レール部８とのなす角度を直線レール部４と回動支点側レール部５とのなす角度よりも大きくし、レール２の他方の片側半部において直線レール部４への傾斜レール部８及び回動支点側レール部５の各入口間の距離を第２の引き戸３ｂの一方の端部側に設けたランナ７ａと中間部に設けたランナ７ｂとの間の距離と等しくすると共に直線レール部４の延長線と傾斜レール部８とのなす角度を直線レール部４と回動支点側レール部５とのなす角度よりも大きくし、レール２の一方の片側半部に設けた第１円弧状レール部１２の円弧を、第１の引き戸３ａに設けた中間部のランナ７ｃが該レール２の一方の片側半部の回動支点側レール部５の奥に位置した状態で該中間部のランナ７ｃを中心に第１の引き戸３ａを回動した際に第１の引き戸３ａの一端部のランナ７ａが描く回動軌跡と一致させると共に、レール２の一方の片側半部に設けた第２円弧状レール部１３の円弧を、上記第１の引き戸３ａ設けた中間部のランナ７ｃがレール２の片側半部の回動支点側レール部５の奥に位置した状態で該中間部のランナ７ｃを中心に第１の引き戸３ａを回動した際に第１の引き戸３ａの他端部のランナ７が描く回動軌跡と一致させ、レール２の他方の片側半部に設けた第１円弧状レール部１２の円弧を、第２の引き戸３ｂに設けた中間部のランナ７ｃが該レール２の他方の片側半部の回動支点側レール部５の奥に位置した状態で該中間部のランナ７ｃを中心に第２の引き戸３ｂを回動した際に第２の引き戸３ｂの一端部のランナ７ａが描く回動軌跡と一致させると共に、レール２の他方の片側半部に設けた第２円弧状レール部１３の円弧を、上記第２の引き戸３ｂに設けた中間部のランナ７ｃがレール２の片側半部の回動支点側レール部５の奥に位置した状態で該中間部のランナ７ｃを中心に第２の引き戸３ｂを回動した際に第２の引き戸３ｂの他端部のランナ７ｂが描く回動軌跡と一致させ、第１の引き戸３の中間部のランナ７ｃがレール２の一方の片側半部の回動支点側レール部５の奥に位置し且つ第１の引き戸３ａの両端部のランナ７ａ、７ｂがそれぞれレール２の一方の片側半部の第１円弧状レール部１２の奥及び第２円弧状レール部１３の奥に位置すると共に、第２の引き戸３ｂの中間部のランナ７ｃがレール２の他方の片側半部の回動支点側レール部５の奥に位置し且つ第２の引き戸３ｂの両端部のランナ７ａ、７ｂがそれぞれレール２の他方の片側半部の第１円弧状レール部１２の奥及び第２円弧状レール部１３の奥に位置した状態で開口部１を閉じ、第１の引き戸３ａの中間部のランナ７ｃがレール２の一方の片側半部の回動支点側レール部５の奥に位置し且つ第１の引き戸３ａの両端部のランナ７ａ、７ｂがそれぞれレール２の一方の片側半部の第１円弧状レール部１２の奥及び第２円弧状レール部１３の奥に位置すると共に、第２の引き戸３ｂの中間部のランナ７ｃ、両端部のランナ７ａ、７ｂがレール２の一方の片側半部の直線レール部４に位置して該第２の引き戸３ｂが第１の引き戸３ａに重なった状態、又は、第２の引き戸３ｂの中間部のランナ７ｃがレール２の他方の片側半部の回動支点側レール部５の奥に位置し且つ第２の引き戸３ｂの両端部のランナ７ａ、７ｂがそれぞれレール２の他方の片側半部の第１円弧状レール部１２の奥及び第２円弧状レール部１３の奥に位置すると共に、第１の引き戸３ａの中間部のランナ７ｃ、両端部のランナ７ａ、７ｂがレール２の他方の片側半部の直線レール部４に位置して該第１の引き戸３ａが第２の引き戸３ｂに重なった状態で開口部１を開口巾の略１／２開くように構成して成ることを特徴とすることも好ましい。
【００１５】
このような構成とすることで、第２の引き戸３ｂを閉じ且つ第１の引き戸３ｂを開いた状態において、第１の引き戸３ａを閉じて開口部１を閉じるに当たっては、直線レール部４に沿って引き戸３を移動して３個のランナ７のうち一端部のランナ７ａと中間部のランナ７ｃとをそれぞれレール２の片側半部の傾斜レール部８と回動支点側レール部５の各入口に位置させ、この状態で更に第１の引き戸３ａを閉じ方向に押すことで、３個のランナ７ａ、７ｂ、７ｃがそれぞれ傾斜レール部８、直線レール部４、回動支点側レール部５内を奥に向かって移動する。この場合、直線レール部４の延長線と傾斜レール部８とのなす角度を直線レール部４と回動支点側レール部５とのなす角度よりも大きくしてあるので、傾斜レール部８内を移動するランナ７が回動支点側レール部５内を移動するランナ７よりも速く進み、これにより第１の引き戸３ａが直線レール部４に対して傾斜しながら３個のランナ７ａ、７ｂ、７ｃがそれぞれ傾斜レール部８、回動支点側レール部５、直線レール部４内を移動し、回動支点側レール部５の奥に中間部のランナ７ｃが至ると共に第１円弧状レール部１２の入口に一端部のランナ７ａが至った状態で他端部のランナ７ｂが第２円弧状レール部１３の入口に至り、この状態で回動支点側レール部５の奥に位置する中間部のランナ７ｃを回動支点として引き戸３を回動させることで、ランナ７ａ、７ｂがそれぞれ第１円弧状レール部１２、第２円弧状レール部１３の各入口から奥に向かって移動し、これにより、第１の引き戸３ａを直線レール部４よりも背方に引き込んで位置させて開口部１を閉じることができる。
【００１６】
また、この第１の引き戸３ａが直線レール部４よりも背方に引き込んで開口部１を閉じた状態から第１の引き戸３ａを直線レール部４に走行自在に移動させて開口部１を開くに当たっては、第１の引き戸３ａを前方に向けて引っ張ることで回動支点側レール部５の奥に位置したランナ７を中心に第１の引き戸３ａを回動してランナ７ａ、７ｂをそれぞれ第１円弧状レール部１２、第２円弧状レール部１３の入口に至らせ、この状態で第１の引き戸３ａを直線レール部４に沿う方向に引くことで、ランナ７ｂを直線レール部４に沿って移動すると共にランナ７ａ、７ｂをそれぞれ傾斜レール部８及び回動支点側レール部５に沿って移動させて直線レール部４に導入することができ、以降は引き戸３を直線レール部４に沿って更に引くことで、第１の引き戸３ａを直線レール部４に沿って移動して簡単に開口部１を開くことができるものである。
【００１７】
そして、回動支点側レール部５の奥に中間部のランナ７ｃを位置させてこれを中心に第１の引き戸３ａを回動して両端部のランナ７ａ、７ｂを第１円弧状レール部１２、第２円弧状レール部１３に沿って移動させるものであるから、回動支点側レール部５の奥から第１の引き戸３ａの隣接する第２の引き戸３ｂの端面に対向する端面までの距離を長くとることで、両引き戸３を閉じた状態で第１の引き戸３ａの端面と隣接する第２の引き戸３ｂの端面との間の隙間を小さくしても第１の引き戸３ａを上記のように回動できるものである。
【００１８】
そして、第１の引き戸３ａを閉じた状態における第２の引き戸３ｂの開閉に当たっても上記と同様であり、これにより、２枚の引き戸３ａ、３ｂで開口部１を２枚の引き戸３ａ、３ｂ同士の対向する端面間の隙間をできるだけ小さくして両引き戸３ａ、３ｂが面一となるようにして開口部１を閉じることができるものである。
【００１９】
また、左右片側半部にそれぞれ直線レール部４に連通して設けた傾斜レール部８、回動支点側レール部５の各入口の位置、第２円弧状レール部６と、第１の引き戸３ａの両端部と中間部とに設けた各ランナ７と第２の引き戸３ｂの両端部と中間部とに設けた各ランナ７ａ、７ｂ、７ｃとの位置関係が、第１の引き戸３ａの３つのランナ７ａ、７ｂ、７ｃがいずれも直線レール部４に位置しているとき、レール２の一方の片側半部の直線レール部４の傾斜レール部８の入口と回動支点側レール部５の入口とにそれぞれ第１の引き戸３ａの一端部のランナ７ａと中間部のランナ７ｃとが位置した状態でのみ第１の引き戸３ａの３つのランナ７ａ、７ｂ、７ｃのうち２つのランナ７が直線レール部４において２つの入口に対向して位置して第１の引き戸３ａを直線レール部４に対して傾斜する方向に走行可能とし且つこれ以外の状態では第１の引き戸３ａの３つのランナ７ａ、７ｂ、７ｃのうち２つ以上のランナ７が直線レール部４の入口以外の箇所に位置して第１の引き戸３ａを直線レール部４に沿った走行のみを可能とし、第２の引き戸３ｂの３つのランナ７ａ、７ｂ、７ｃがいずれも直線レール部４に位置しているとき、レール２の他方の片側半部の直線レール部４の傾斜レール部８の入口と回動支点側レール部５の入口とにそれぞれ第２の引き戸３ｂの一端部のランナ７ａと中間部のランナ７ｃとが位置した状態でのみ第２の引き戸３ｂの３つのランナ７ａ、７ｂ、７ｃのうち２つのランナ７が直線レール部４において２つの入口に対向して位置して第２の引き戸３ｂを直線レール部４に対して傾斜する方向に走行可能とし且つこれ以外の状態では第２の引き戸３ｂの３つのランナ７ａ、７ｂ、７ｃのうち２つ以上のランナ７が直線レール部４の入口以外の箇所に位置して第２の引き戸３ｂを直線レール部４に沿った走行のみを可能として成ることも好ましい。
【００２０】
このような構成とすることで、第１の引き戸３ａ、第２の引き戸３ｂが直線レール部４を走行する際、第１の引き戸３ａ、第２の引き戸３ｂをそれぞれ閉じるために傾斜レール部８と回動支点側レール部５とに移行させる場合以外では必ず、３つのランナ７ａ、７ｂ、７ｃのうちの２つ以上のランナ７が直線レール部４に沿った方向にのみ移動して引き戸３の走行をスムーズに行えるものである。
【００２１】
【発明の実施の形態】
以下、本発明を添付図面に示す実施形態に基づいて説明する。
（第１実施形態）
図１、図２に本発明の第１実施形態が示してある。部屋の出入り口としての開口部や、建物の出入り口としての開口部や、収納部の開口部や、窓用の開口部等の開口部１にはレール２が設けてある。本実施形態においてはレール２として開口部１の上内面部に設ける上レール２ａと、開口部１の下内面部に設ける下レール２ｂとがあり、図１に上レール２ａ部分を示し、図２に下レール２ｂ部分を示している。なお、作図上図１、図２においてレール２は１点鎖線で示している。
【００２２】
以下、上下レール２ａ、２ｂを単にレール２と総称して説明する。図１、図２にはレール２に一枚の引き戸３を走行自在に取付けて開口部１を一枚の引き戸３で開閉自在とした例が示してある。引き戸３には上端部及び下端部の両側にそれぞれランナ７（すなわち上のランナ７Ａ、下のランナ７Ｂ）が設けてあり、上下のランナ７Ａ、７Ｂをそれぞれ上下レール２ａ、２ｂに図３のように走行自在に嵌め込んである。
【００２３】
開口部１に設けたレール２は、引き戸３が走行する直線レール部４の片側半部の途中から開口部１を正面からみて背方側に向けて円弧状レール部６を分岐し、更に、直線レール部４の片側半部の端部から直線レール部４の延長線よりも開口部１を正面からみて背方側にずれ且つ円弧状レール部６から離れる方向に向けて回動支点側レール部５を連出して構成してある。回動支点側レール部５は直線レール部４に対して傾斜した入口側傾斜レール部５ａと、直線レール部４と平行な奥側直線レール部５ｂとで構成してある。また、円弧状レール部６の円弧は、引き戸３に設けた２個のランナ７のうち一方のランナ７が一方の回動支点側レール部５の奥（奥側直線レール部５ｂの奥）に位置した状態で該奥側直線レール部５ｂの奥に位置したランナ７を中心に引き戸３を回動した際における他方のランナ７が描く回動軌跡と一致させるように構成してある。直線レール部４は開口部１の一側部に位置する壁１４の前方に壁１４に沿って平行に設けられ、該直線レール部４の円弧状レール部６、回動支点側レール部５を設けた方の片側半部が開口部１に位置しており、奥側直線レール部５ｂが上記壁１４の延長線上に位置している。
【００２４】
引き戸３の前面（正面）の端部には把手１５が設けてあり、該把手１５を手で持って引き戸３をレール２に沿って移動して開口部１の開閉操作を行う。すなわち、図１（ａ）は開口部１を引き戸３で閉じた状態で、引き戸３の他端面部が開口部１の壁１４と反対側の開口縦枠部１６に近接対向し、また、引き戸３の端面部が開口部１の一側部に位置する壁１４の端面部に近接対向している。
【００２５】
この閉状態から引き戸３を開くには、図１（ｂ）のように、把手１５を手に掴んで前方（手前）に向けて引っ張ることで回動支点側レール部５の奥に位置したランナ７を中心に引き戸３を回動して他方のランナ７を円弧状レール部６に沿って直線レール部４に移動する。次に、直線レール部４に沿って引き戸３を移動することで、図１（ｃ）のように円弧状レール部６から直線レール部４に移動した他方のランナ７が直線レール部４を移動すると共に一方のランナ７が回動支点側レール部５に沿って直線レール部４に移動し、更に引き戸３を直線レール部４に沿って移動することで、図１（ｄ）のように開口部１を開くことができる。
【００２６】
一方、開口部１を閉じるには上記と逆方向に引き戸３を直線レール部４に沿って移動させ、図１（ｃ）のように一方のランナ７を直線レール部４の端部から回動支点側レール部５に移動させ、更に図１（ｂ）のように一方のランナ７を回動支点側レール部５の奥まで至らせる。この状態で、他方のランナ７が円弧状レール部６の入口に至るので、回動支点側レール部５の奥に位置したランナ７を中心に引き戸３を回動して他方のランナ７を図１（ａ）のように円弧状レール部６の奥に至らせて引き戸３により開口部１を閉じる。この閉状態で引き戸３の他端面部が開口部１の壁１４と反対側の開口縦枠部１６に近接対向し、また、引き戸３の端面部が開口部１の一側部に位置する壁１４の端面部に近接対向し、引き戸３が隣接する壁１４と面一となる。
【００２７】
この場合上記のように、回動支点側レール部５の奥に一方のランナ７を位置させてこれを中心に引き戸３を回動して他方のランナ７を円弧状レール部６に沿って移動させるので、回動支点側レール部５の奥から引き戸３の隣接する壁や他の引き戸の端面に対向する端面までの距離を長く取れ、これにより引き戸３を閉じた状態で該引き戸３の端面と隣接する壁や他の引き戸の端面との間の隙間を小さくしても引き戸３を上記のようにスムーズに回動できるものである。
【００２８】
ここで、引き戸３の下のランナ７Ｂは引き戸３に対して回動自在なランナ本体部１７の両側の前後にそれぞれ回動自在なころ１７ａを設けて構成してあり、この下のランナ７Ｂが直線レール部４から円弧状レール部６に、また、円弧状レール部６から直線レール部４にスムーズに方向を変えて移動できるように直線レール部４の円弧状レール部６を分岐する部分に弧状をした溝状のランナガイド部１８が設けてある。したがって、下のランナ７Ｂが直線レール部４から円弧状レール部６に向きを変えて移動する場合、円弧状レール部６から直線レール部４に向きを変えて移動する場合に図２（ａ）（ｂ）（ｃ）に示すように上記ランナガイド部１８により下のランナ７Ｂの向きを変えてスムーズに移動するようにしている。
（第２実施形態）
次に、本発明の第２実施形態を図４乃至図６により説明する。本実施形態の基本的な構成は前述の第１実施形態と同じであり、異なる点につき以下説明する。本実施形態においては、開口部１に配設したレール２に２枚の引き戸３（第１の引き戸３ａ、第２の引き戸３ｂ）を走行自在に取付けてある。
【００２９】
図４乃至図６においては、レール２（上下のレール２ａ、２ｂ）を長手方向に中間部で仮想線により左右に２分した場合における長手方向の一方の片側半分及び他の片側半分にそれぞれ円弧状レール部６と回動支点側レール部５とを設けてある。すなわち、レール２の一方及び他方の片側半部の円弧状レール部６はそれぞれ直線レール部４の一方及び他方の片側半部の途中から分岐してあり、また、一方及び他方の片側半部の回動支点側レール部５はそれぞれ直線状レール部４の両端部に設けられ、直線レール部４の延長線よりも開口部１を正面からみて背方側にずれ且つ円弧状レール部６から離れる方向に向けて連出しており、それぞれ入口側の直線レール部４に対して傾斜した入口側傾斜レール部５ａと、奥側の直線レール部４と平行な奥側直線レール部５ｂとで構成してある。
【００３０】
ここで、上記一方の片側半部に設けた円弧状レール部６の円弧は、第１の引き戸３ａに設けた２個のランナ７のうち一方のランナ７が一方の回動支点側レール部５の奥に位置した状態で該一方の回動支点側レール部５の奥の奥側直線レール部５ｂに位置したランナ７を中心に第１の引き戸３ａを回動した際における他方のランナ７が描く回動軌跡と一致させるように構成してあり、また、他方の片側半部に設けた円弧状レール部６の円弧は、第２の引き戸３ｂに設けた２個のランナ７のうち一方のランナ７が一方の回動支点側レール部５の奥に位置した状態で該一方の回動支点側レール部５の奥の奥側直線レール部５ｂに位置したランナ７を中心に第２の引き戸３ｂを回動した際における他方のランナ７が描く回動軌跡と一致させるように構成してある。また、本実施形態では図５に示すようにしたレール２ｂの直線レール部４の一方の片側半部及び他方の片側半部の各円弧状レール部６を分岐する部分に弧状をした溝状のランナガイド部１８が設けてある。
【００３１】
なお、添付図面に示す実施形態では第１の引き戸３ａと第２の引き戸３ｂとが同じ大きさで且つ第１の引き戸３ａに設けた各ランナ７の取付け位置と、第２の引き戸３ｂに設けた各ランナ７の取付け位置が同じとなっており、このため、レール２は図６に示すように長手方向の中間で左右に２分した場合、左右対称となっているが、第１の引き戸３ａと第２の引き戸３ｂとの横巾を異ならせ且つ各ランナ７の取付け位置を異ならせるようにしてもよく、この場合にはレール２は左右対称とならない。
【００３２】
本実施形態においては、図４（ａ）が開口部１を２枚の第１、第２の引き戸３ａ、３ｂにより閉じた状態であるが、この閉状態で開口部１を開くには、左右に位置する第１、第２の引き戸３ａ、３ｂのうちいずれか他方（図４（ｂ）では左側に位置する第２の引き戸３ｂ）を閉じた状態で、右側に位置する第１の引き戸３ａの前面の一端部に設けた把手１５を手に掴んで前方（手前）に向けて引っ張ることで回動支点側レール部５の奥に位置したランナ７を中心に引き戸３を回動して他方のランナ７を円弧状レール部６に沿って直線レール部４に移動する。次に、直線レール部４に沿って引き戸３を移動することで、図４（ｃ）のように円弧状レール部６から直線レール部４に移動した他方のランナ７が直線レール部４を移動すると共に一方のランナ７が回動支点側レール部５に沿って直線レール部４に移動し、更に引き戸３を直線レール部４に沿って移動して第２の引き戸３ｂの前方側に第１の引き戸３ａを重ねるように位置させる、図４（ｄ）のように開口部１を開くことができる。
【００３３】
第１の引き戸３ａを閉じるには上記と逆の図４（ｄ）（ｃ）（ｂ）の順序で引き戸３ｂを操作して図４（ａ）のように閉じるものである。
【００３４】
図４（ａ）の開口部１を第１、第２の２枚の引き戸３ａ、３ｂで閉じた状態では、第１、第２の２枚の引き戸３ａ、３ｂの各一方の端面部が開口部１の両開口縦枠部１６に近接対向すると共に、各他方の端面部が互いに近接対向し、２枚の引き戸３ａ、３ｂが面一で連続するようになる。
【００３５】
本実施形態においても、前述の第１実施形態と同様に、回動支点側レール部５の奥に一方のランナ７を位置させてこれを中心に引き戸３を回動して他方のランナ７を円弧状レール部６に沿って移動させるので、回動支点側レール部５の奥から引き戸３の隣接する壁や他の引き戸の端面に対向する端面までの距離を長く取れ、これにより引き戸３を閉じた状態で該引き戸３の端面と隣接する壁や他の引き戸の端面との間の隙間を小さくしても引き戸３を上記のように回動できるものである。
【００３６】
上記説明では第２の引き戸３ｂを閉じて第１の引き戸３ａを開閉する例を示したが、第１の引き戸３ａを閉じて第２の引き戸３ｂを開閉するには、第２の引き戸３ｂを操作して行うものである。
（第３実施形態）
次に、図７に基づいて本発明の第３実施形態を説明する。
【００３７】
開口部１に設けたレール２は、引き戸３が走行する直線レール部４の片側半部の一端部から背方に向けて突出し且つ突出先端側ほど直線レール部４の延長線及び平面視で直線レール部４の一端部と直交する仮想線から離れる２方向に傾斜した傾斜レール部８と、傾斜レール部８の連出先端部から直線レール部４の延長線側に向けて連出した円弧状レール部６と、直線レール部４の途中から背方側にずれ且つ円弧状レール部６側に向いた回動支点側レール部５とで構成してある。
【００３８】
回動支点側レール部５は直線レール部４に対して傾斜した入口側傾斜レール部５ａと、直線レール部４と平行な奥側直線レール部５ｂとで構成してある。また、円弧状レール部６の円弧は、引き戸３に設けた２個のランナ７のうち一方のランナ７が一方の回動支点側レール部５の奥（奥側直線レール部５ｂの奥）に位置した状態で該奥側直線レール部５ｂの奥に位置したランナ７を中心に引き戸３を回動した際における他方のランナ７が描く回動軌跡と一致させるように構成してある。直線レール部４は開口部１の一側部に位置する壁１４の前方に壁１４に沿って平行に設けられ、該直線レール部４の円弧状レール部６、回動支点側レール部５を設けた方の片側半部が開口部１に位置しており、奥側直線レール部５ｂ及び円弧状レール部６の奥部が上記壁１４の延長線上に位置している。
【００３９】
また、直線レール部４への傾斜レール部８及び回動支点側レール部５の各入口間の距離が２個のランナ７間の距離と等しくなっており、直線レール部４の延長線と傾斜レール部８とのなす角度を直線レール部４と回動支点側レール部５とのなす角度よりも大きくしてある。
【００４０】
図７（ａ）は開口部１を引き戸３で閉じた状態で、引き戸３の他端面部が開口部１の壁１４と反対側の開口縦枠部１６に近接対向し、また、引き戸３の端面部が開口部１の一側部に位置する壁１４の端面部に近接対向している。
【００４１】
この閉状態から引き戸３を開くには、図７（ｂ）のように、引き戸３の壁１４側の端部を前方（手前）に向けて引っ張ることで回動支点側レール部５の奥側直線レール部５ｂの奥に位置したランナ７を中心に引き戸３を回動して他方のランナ７を円弧状レール部６に沿って円弧状レール部６の入口に移動する。次に、図７（ｃ）（ｄ）のように直線レール部４に沿う方向に引き戸３を移動することで、他方のランナ７が奥側直線レール部５ｂから入口側傾斜レール部５ａに移動すると共に一方のランナ７が円弧状レール部６の入口から傾斜レール部８に移動する。更に、直線レール部４に沿う方向に引き戸３を移動することで、図７（ｅ）のように他方のランナ７が直線レール部４の回動支点側レール部５との分岐部分に至ると共に一方のランナ７が直線レール部４の一端部（傾斜レール部８の連出基部）に至るので、更に直線レール部４に沿う方向に引き戸３を移動することで、図７（ｆ）のように開口部１を開くことができる。
【００４２】
一方、図７（ｆ）の状態から開口部１を閉じるには上記と逆方向に引き戸３を直線レール部４に沿って移動させ、図７（ｅ）のように一方のランナ７を直線レール部４の端部の傾斜レール部８の入口に至らせると共に他方のランナ７を直線レール部４の途中の回動支点側レール部５の入口まで至らせ、更に引き戸３を閉じる方向に移動させると、一方のランナ７が傾斜レール部８内を移動し、他方のランナ７が回動支点側レール部５内を移動するのであるが、この場合、直線レール部４への傾斜レール部８及び回動支点側レール部５の各入口間の距離が２個のランナ７間の距離と等しくし、直線レール部４の延長線と傾斜レール部８とのなす角度を直線レール部４と回動支点側レール部５とのなす角度よりも大きくしてあるので、上記のように、両ランナ７が傾斜レール部８の入口と回動支点側レール部５の入口に到達してから傾斜レール部８と回動支点側レール部５とを移動する際、回動支点側レール部５内を移動する一方のランナ７の移動速度が回動支点側レール部５内を移動する他方のランナ７の移動速度よりも速いため、図７（ｄ）のように一方のランナ７側が背方側にずれるように引き戸３が傾斜しながら次第に図７（ｃ）を経て図７（ｂ）のように他方のランナ７が回動支点側レール部５の奥に位置すると共に一方のランナ７が円弧状レール部６の入口に位置するので、次に、回動支点側レール部５の奥に位置するランナ７を中心に引き戸３を回動して他方のランナ７を円弧状レール部６に沿って円弧状レール部６の奥に至らせて引き戸３により開口部１を閉じる。この閉状態で引き戸３の他端面部が開口部１の壁１４と反対側の開口縦枠部１６に近接対向し、また、引き戸３の端面部が開口部１の一側部に位置する壁１４の端面部に近接対向し、引き戸３が隣接する壁１４と面一となる。
【００４３】
本実施形態においても、上記のように回動支点側レール部５の奥に一方のランナ７を位置させてこれを中心に引き戸３を回動して他方のランナ７を円弧状レール部６に沿って移動させるものであるから、回動支点側レール部５の奥から引き戸３の隣接する壁１４や他の引き戸３の端面に対向する端面までの距離を長くとることで、引き戸３を閉じた状態で該引き戸３の端面と隣接する壁１４や他の引き戸３の端面との間の隙間を小さくしても引き戸３を上記のように回動できるものである。
（第４実施形態）
次に、図８、図９に基づいて本発明の第４実施形態を説明する。
【００４４】
上記した第３実施形態においては、傾斜レール部８の端部に連通する円弧状レール部６の入口部分が開口部１の背方にずれて位置して床面側に飛び出すおそれがあるが、本実施形態においては、レール２が開口部１から床面側に飛び出さないようにした点に特徴がある。
【００４５】
本実施形態においては、開口部１に設けたレール２（上レール２ａ、下レール２ｂ）に引き戸３の上端部及び下端部においてそれぞれ両端部及び中間部に設けた３個のランナ７を走行自在に嵌め込んで開口部１を開閉自在としてある。
【００４６】
開口部１に設けたレール２は、引き戸３が走行する直線レール部４と、直線レール部４の途中に開口部１を正面から見て背方側に向けて分岐した円弧状レール部６と、直線レール部４の一端部から直線レール部４の延長線よりも開口部１を正面からみて背方側にずれ且つ円弧状レール部６から離れる２方向に向けて連出した端部レール部９と、直線レール部４の円弧状レール部６と端部レール部９との中間位置から開口部１を正面からみて背方側にずれ且つ円弧状レール部６から離れる２方向に向けて連出した回動支点側レール部５とで構成してある。
【００４７】
引き戸３の一端部側に引き戸３の正面側（前面側）の上端部及び下端部にはガイド部材１０を突設してある。ガイド部材１０は図９に示すように円弧状をした円弧状溝部１１が形成してある。
【００４８】
円弧状溝部１１にはランナ７が円弧状溝部１１に沿って移動自在に取付けてあり、この円弧状溝部１１に移動自在に取付けたランナ７（引き戸３の両端部及び中間部に設けた３つのランナ７のうち一方の端部に設けたランナ７）が移動ランナ７ｄとなっている。
【００４９】
円弧状レール部６の円弧は引き戸３の中間部のランナ７が回動支点側レール部５の奥に位置した状態で該回動支点側レール部５の奥に位置した中間部のランナ７を中心に引き戸３を回動した際における移動ランナ７ｄと反対側の端部に位置するランナ７ｂが描く回動軌跡と一致させてある。
【００５０】
また、円弧状溝部１１の円弧の曲率半径が中間部のランナ７ｃから移動ランナ７ｄまでの長さに等しくしなっている。
【００５１】
図８（ａ）は開口部１を引き戸３で閉じた状態で、引き戸３の他端面部が開口部１の壁１４と反対側の開口縦枠部１６に近接対向し、また、引き戸３の端面部が開口部１の一側部に位置する壁１４の端面部に近接対向している。また、閉状態においては引き戸３に設けた上端部及び下端部の両端部及び中間部にそれぞれ設けた３つのランナ７は、引き戸３の中間部のランナ７ｃが回動支点側レール部５の奥に位置すると共に移動ランナ７ｄと反対側の端部に位置するランナ７ｂが円弧状レール部６の奥に位置した状態で移動ランナ７ｄが円弧状溝部１１の引き戸３の正面側で且つ端部レール部９の奥に位置している。
【００５２】
この閉状態から引き戸３を開くには、図８（ｂ）のように、引き戸３の壁１４側の端部を前方（手前）に向けて引っ張ることで、回動支点側レール部５の奥側直線レール部５ｂの奥に位置した中間部のランナ７ｃを中心に引き戸３を回動してランナ７ｂが円弧状レール部６に沿って円弧状レール部６の入口に移動すると共に、移動ランナ７ｄが端部レール部９の奥に位置したまま円弧状溝部１１の引き戸３の正面から突出方向の端部側に移動する。次に、図８（ｃ）（ｄ）のように直線レール部４に沿う方向に引き戸３を移動することで、ランナ７ｂが直線レール部４を開方向に移動し、中間部のランナ７ｃが奥側直線レール部５ｂから入口側傾斜レール部５ａに移動し、移動ランナ７ｄが端部レール部９を移動すると共に円弧状溝部１１を移動する。更に、直線レール部４に沿う方向に引き戸３を移動することで、図８（ｅ）のようにランナ７ｂが直線レール部４の回動支点側レール部５との分岐部分に至ると共に移動ランナ７ｄが直線レール部４の一端部（端部レール部９の連出基部）に至ると共に円弧状溝部１１の引き戸３の正面からの突出基部に至るので、更に直線レール部４に沿う方向に引き戸３を移動することで、図８（ｆ）のように開口部１を開くことができる。
【００５３】
一方、図８（ｆ）の状態から開口部１を閉じるには上記と逆方向に引き戸３を直線レール部４に沿って移動させ、図８（ｅ）のように移動ランナ７ｄを直線レール部４の端部の端部レール部９の入口に至らせると共に中間部のランナ７ｃを直線レール部４の途中の回動支点側レール部５の入口まで至らせ、更に引き戸３を閉じる方向に移動させると、図８（ｄ）（ｃ）のように移動ランナ７ｄが端部レール部９内を移動し、中間部のランナ７ｃが回動支点側レール部５内を移動し、図８（ｂ）のように移動ランナ７ｄが端部レール部９の奥に至ると共に中間部のランナ７ｃが回動支点側レール部５の奥に至り、この図８（ｂ）の状態でランナ７ｂが円弧状レール部６の入口に至る。次に、回動支点側レール部５の奥に位置するランナ７を中心に引き戸３を回動してランナ７ｂを円弧状レール部６に沿って円弧状レール部６の奥に至らせると共に、移動ランナ７ｄが端部レール部９の奥に位置したまま移動ランナ７ｄが円弧状溝部１１に対して相対的に移動して移動ランナ７ｄが円弧状溝部１１の引き戸３の正面側に位置して引き戸３により開口部１を閉じる。この閉状態で引き戸３の他端面部が開口部１の壁１４と反対側の開口縦枠部１６に近接対向し、また、引き戸３の端面部が開口部１の一側部に位置する壁１４の端面部に近接対向し、引き戸３が隣接する壁１４と面一となる。
【００５４】
本実施形態においては、上記のように回動支点側レール部５の奥に中間部のランナ７ａを位置させてこれを中心に引き戸３を回動してランナ７ｂを円弧状レール部６に沿って移動させるものであるから、回動支点側レール部５の奥から引き戸３の隣接する壁１４や他の引き戸３の端面に対向する端面までの距離を長くとることで、引き戸３を閉じた状態で該引き戸３の端面と隣接する壁１４や他の引き戸３の端面との間の隙間を小さくしても引き戸３を上記のように回動できるものである。また、引き戸３の一端部側に突設したガイド部材１０に形成した円弧状溝部１１に移動ランナ７ｄを移動自在に取付けてあるので、端部レール部９の背方への突出長さを回動支点側レール部５の背方への突出長さにすることが可能となり、これにより開口部１から背方に端部レール部９が突出しないようにできる。
（第５実施形態）
次に、図１０に基づいて本発明の第５実施形態を説明する。
【００５５】
本実施形態においては、開口部１に設けたレール２に第１、第２の引き戸３ａ、３ｂの各両端部及び中間部に設けたランナ７ａ、７ｂ、７ｃを走行自在に嵌め込んでレール２に第１、第２の引き戸３ａ、３ｂを開閉自在に取付けてある。
【００５６】
本実施形態におけるレール２は、引き戸３が走行する直線レール部４と、直線レール部４の両端部からそれぞれ背方に突出し且つ突出先端側ほど直線レール部４の延長線及び平面視で直線レール部４の端部と直交する仮想線から離れる方向に傾斜するように連出した両側の傾斜レール部８と、各傾斜レール部８の連出先端部からそれぞれ直線レール部４の延長線側に向けて連出した第１円弧状レール部１２と、直線レール部４を長手方向に２分した左右の直線レール部４のそれぞれの途中から背方側にずれ且つ第１円弧状レール部１２を向く方向に分岐した回動支点側レール部５と、長手方向に２分した左右の直線レール部４の２分した部分に近い位置からそれぞれ背方側に向けて分岐した第２円弧状レール部１３とで構成してある。
【００５７】
ここで、レール２の一方の片側半部において直線レール部４への傾斜レール部８及び回動支点側レール部５の各入口間の距離が第１の引き戸３ａの一方の端部側に設けたランナ７ａと中間部に設けたランナ７ｃとの間の距離と等しくなっており、また、直線レール部４の延長線と傾斜レール部８とのなす角度が直線レール部４と回動支点側レール部５とのなす角度よりも大きくなっている。
【００５８】
また、レール２の他方の片側半部において直線レール部４への傾斜レール部８及び回動支点側レール部５の各入口間の距離が第２の引き戸３ｂの一方の端部側に設けたランナ７ａと中間部に設けたランナ７ｂとの間の距離と等しくなっており、また、直線レール部４の延長線と傾斜レール部８とのなす角度を直線レール部４と回動支点側レール部５とのなす角度よりも大きくなっている。
【００５９】
また、レール２の一方の片側半部に設けた第１円弧状レール部１２の円弧が、第１の引き戸３ａに設けた中間部のランナ７ｃが該レール２の一方の片側半部の回動支点側レール部５の奥に位置した状態で該中間部のランナ７ｃを中心に第１の引き戸３ａを回動した際に第１の引き戸３ａの一端部のランナ７ａが描く回動軌跡と一致させてある。また、レール２の一方の片側半部に設けた第２円弧状レール部１３の円弧が、上記第１の引き戸３ａ設けた中間部のランナ７ｃがレール２の片側半部の回動支点側レール部５の奥に位置した状態で該中間部のランナ７ｃを中心に第１の引き戸３ａを回動した際に第１の引き戸３ａの他端部のランナ７が描く回動軌跡と一致させてある。
【００６０】
更に、レール２の他方の片側半部に設けた第１円弧状レール部１２の円弧が、第２の引き戸３ｂに設けた中間部のランナ７ｃが該レール２の他方の片側半部の回動支点側レール部５の奥に位置した状態で該中間部のランナ７ｃを中心に第２の引き戸３ｂを回動した際に第２の引き戸３ｂの一端部のランナ７ａが描く回動軌跡と一致させてある。また、レール２の他方の片側半部に設けた第２円弧状レール部１３の円弧が、上記第２の引き戸３ｂに設けた中間部のランナ７ｃがレール２の片側半部の回動支点側レール部５の奥に位置した状態で該中間部のランナ７ｃを中心に第２の引き戸３ｂを回動した際に第２の引き戸３ｂの他端部のランナ７ｂが描く回動軌跡と一致させてある。
【００６１】
図１０（ａ）は開口部１を引き戸３で閉じた状態で、第１の引き戸３ａの一端面部が開口部１の一側方の開口縦枠部１６に近接対向し、第２の引き戸３ｂの一端面部が開口部１の他側方の開口縦枠部１６に近接対向し、更に、第１の引き戸３ａの他端面部が隣接する第２の引き戸３ｂの他端面部に近接対向ている。この閉状態で第１の引き戸３ａと第２の引き戸３ｂとは面一に連続する。また、閉状態においては第１の引き戸３ａに設けた上端部及び下端部の両端部及び中間部にそれぞれ設けた３つのランナ７は、第１の引き戸３ａの中間部のランナ７ｃがレール２の一方の片側半部の回動支点側レール部５の奥に位置し、一方側の端部のランナ７ａが第１円弧状レール部１２の奥に位置し、他方側の端部のランナ７ｂが第２円弧状レール部１３の奥に位置している。また、第２の引き戸３ｂに設けた上端部及び下端部の両端部及び中間部にそれぞれ設けた３つのランナ７は、第２の引き戸３ｂの中間部のランナ７ｃがレール２の他方の片側半部の回動支点側レール部５の奥に位置し、一方側の端部のランナ７ａが第１円弧状レール部１２の奥に位置し、他方側の端部のランナ７ｂが第２円弧状レール部１３の奥に位置している。
【００６２】
この閉状態から第１の引き戸３ａを開くには、図１０（ｂ）のように、第１の引き戸３ａの第２の引き戸３ｂ側の端部を前方（手前）に向けて引っ張ることで、回動支点側レール部５の奥側直線レール部５ｂの奥に位置した中間部のランナ７ｃを中心に引き戸３を回動してランナ７ａが第１円弧状レール部１２の奥から入口に移動すると共にランナ７ｂが第２円弧状レール部１３の奥から入口に移動する。次に、図１０（ｃ）（ｄ）のように直線レール部４に沿う方向に第１の引き戸３ａを移動することで、ランナ７ｂが直線レール部４を開方向に移動し、中間部のランナ７ｃが奥側直線レール部５ｂから入口側傾斜レール部５ａに移動し、ランナ７ａが傾斜レール部８を移動し、更に、直線レール部４に沿う方向に第１の引き戸３ａを移動することで、図１０（ｅ）のように中間部のランナ７ｃが直線レール部４の回動支点側レール部５との分岐部分に至ると共にランナ７ａが直線レール部４の一端部（傾斜レール部８の連出基部）に至るので、更に直線レール部４に沿う方向に第１の引き戸３ａを移動して第１の引き戸３ａを第２の引き戸３ｂの前方に重ねて、図１１のように開口部１を開くことができる。
【００６３】
一方、図１１の開状態から開口部１を閉じるには上記と逆方向に第１の引き戸３ａを直線レール部４に沿って移動させ、図１０（ｅ）のようにランナ７ａを直線レール部４の一方の片側半部の端部の傾斜レール部８の入口に至らせると共に中間部のランナ７ｃを直線レール部４の一方の片側半部の途中の回動支点側レール部５の入口まで至らせ、更に引き戸３を閉じる方向に移動させると、図１０（ｄ）（ｃ）のようにランナ７ａが傾斜レール部８内を移動し、中間部のランナ７ｃが回動支点側レール部５内を移動し、図１０（ｂ）のようにランナ７ａが第１円弧状レール部１２の奥に至ると共に中間部のランナ７ｃが回動支点側レール部５の奥に至り、この図１０（ｂ）の状態でランナ７ｂが第２円弧状レール部１３の入口に至る。次に、回動支点側レール部５の奥に位置する中間部のランナ７ｃを中心に引き戸３を回動してランナ７ｂを第２円弧状レール部１３に沿って第２円弧状レール部１３の奥に至らせると共に、ランナ７ａを第１円弧状レール部１２に沿って第１円弧状レール部１２の奥に至らせて第１の引き戸３ａにより開口部１を閉じる。
【００６４】
上記した本実施形態においては、回動支点側レール部５の奥に中間部のランナ７ｃを位置させてこれを中心に第１の引き戸３ａを回動して両端部のランナ７ａ、７ｂを第１円弧状レール部１２、第２円弧状レール部１３に沿って移動させるようになっているので、回動支点側レール部５の奥から第１の引き戸３ａの隣接する第２の引き戸３ｂの端面に対向する端面までの距離を長くとることで、両引き戸３を閉じた状態で第１の引き戸３ａの端面と隣接する第２の引き戸３ｂの端面との間の隙間を小さくしても第１の引き戸３ａを上記のように回動できるものである。
【００６５】
上記においては第２の引き戸３ｂを閉じた状態で第１の引き戸３ａを開閉操作することで、開口部１の一方の片側半部（開口部１の略１／２）を開閉する例を示したが、第１の引き戸３ａを閉じた状態で第２の引き戸３ｂを開閉操作する場合も上記と同様にして第２の引き戸３ｂを開閉操作することで開口部１の他方の片側半部（開口部１の略１／２）を開閉することができる。
【００６６】
ところで、本実施形態において、左右片側半部にそれぞれ直線レール部４に連通して設けた傾斜レール部８、回動支点側レール部５の各入口の位置、第２円弧状レール部６と、第１の引き戸３ａの両端部と中間部とに設けた各ランナ７と第２の引き戸３ｂの両端部と中間部とに設けた各ランナ７ａ、７ｂ、７ｃとの位置関係は次のようになっているのが好ましいものである。
【００６７】
すなわち、第１の引き戸３ａの３つのランナ７ａ、７ｂ、７ｃがいずれも直線レール部４に位置しているとき、図１１（ａ）のようにレール２の一方の片側半部の直線レール部４の傾斜レール部８の入口と回動支点側レール部５の入口とにそれぞれ第１の引き戸３ａの一端部のランナ７ａと中間部のランナ７ｃとが位置した状態でのみ第１の引き戸３ａの３つのランナ７ａ、７ｂ、７ｃのうち２つのランナ７が直線レール部４において２つの入口に対向して位置して第１の引き戸３ａを直線レール部４に対して傾斜する方向に走行可能とし且つこれ以外の状態では図１１（ｂ）（ｃ）（ｄ）（ｅ）、図１２（ａ）（ｂ）（ｃ）（ｄ）のように第１の引き戸３ａの３つのランナ７ａ、７ｂ、７ｃのうち２つ以上のランナ７が直線レール部４の入口以外の箇所に位置して第１の引き戸３ａを直線レール部４に沿った走行のみを可能としてある。
【００６８】
また、同様に、第２の引き戸３ｂの３つのランナ７ａ、７ｂ、７ｃがいずれも直線レール部４に位置しているとき、レール２の他方の片側半部の直線レール部４の傾斜レール部８の入口と回動支点側レール部５の入口とにそれぞれ第２の引き戸３ｂの一端部のランナ７ａと中間部のランナ７ｃとが位置した状態でのみ第２の引き戸３ｂの３つのランナ７ａ、７ｂ、７ｃのうち２つのランナ７が直線レール部４において２つの入口に対向して位置して第２の引き戸３ｂを直線レール部４に対して傾斜する方向に走行可能とし且つこれ以外の状態では第２の引き戸３ｂの３つのランナ７ａ、７ｂ、７ｃのうち２つ以上のランナ７が直線レール部４の入口以外の箇所に位置して第２の引き戸３ｂを直線レール部４に沿った走行のみを可能としてある。
【００６９】
このようにすることで、第１の引き戸３ａ、第２の引き戸３ｂが直線レール部４を走行する際、第１の引き戸３ａ、第２の引き戸３ｂをそれぞれ閉じるために傾斜レール部８と回動支点側レール部５とに移行させる場合以外では必ず、３つのランナ７ａ、７ｂ、７ｃのうちの２つ以上のランナ７が直線レール部４に沿った方向にのみ移動して引き戸３の走行をスムーズに行えるものである。
【００７０】
なお、図１１に示す実施形態では第１の引き戸３ａと第２の引き戸３ｂとが同じ大きさで且つ第１の引き戸３ａに設けた３つのランナ７ａ、７ｂ、７ｃの取付け位置と、第２の引き戸３ｂに設けた３つのランナ７ａ、７ｂ、７ｃの取付け位置とが同じとなっており、このため、レール２は図１１に示すように長手方向の中間で左右に２分した場合、左右対称となっているが、第１の引き戸３ａと第２の引き戸３ｂとの横巾を異ならせ且つ第１の引き戸３ａの３つのランナ７ａ、７ｂ、７ｃの取付け位置と、第２の引き戸３ｂの３つのランナ７ａ、７ｂ、７ｃの取付け位置を異ならせるようにしてもよく、この場合にはレール２は左右対称とならない。
【００７１】
【発明の効果】
本発明の請求項１記載の発明にあっては、上記のように、円弧状レール部の円弧を、引き戸に設けた２個のランナのうち一方のランナが回動支点側レール部の奥に位置した状態で該回動支点側レール部の奥に位置したランナを中心に引き戸を回動した際における他方のランナが描く回動軌跡と一致させてあるので、簡単な構成で、引き戸を回動して引き戸を閉じた状態で引き戸を直線レール部から背方に引き込んで段差が生じないように閉じることができると共に該引き戸の端面と隣接する壁や他の引き戸の端面との間の隙間を小さくした状態で閉じることができて、閉状態における収まりがよいものである。
【００７２】
また、請求項２記載の発明にあっては、上記のように、直線レール部への傾斜レール部及び回動支点側レール部の各入口間の距離を２個のランナ間の距離と等しくすると共に、直線レール部の延長線と傾斜レール部とのなす角度を直線レール部と回動支点側レール部とのなす角度よりも大きくし、円弧状レール部の円弧を、引き戸に設けた２個のランナのうち一方のランナが回動支点側レール部の奥に位置した状態で該回動支点側レール部の奥に位置したランナを中心に引き戸を回動した際における他方のランナが描く回動軌跡と一致させてあるので、簡単な構成で、引き戸を回動して引き戸を閉じた状態で引き戸を直線レール部から背方に引き込んで段差が生じないように閉じることができると共に該引き戸の端面と隣接する壁や他の引き戸の端面との間の隙間を小さくした状態で閉じることができて、閉状態における収まりがよいものである。
【００７３】
また、請求項３記載の発明にあっては、上記のように、引き戸の一端部側に引き戸の正面側にガイド部材を突設し、該ガイド部材に円弧状をした円弧状溝部を形成すると共に該円弧状溝部にランナを円弧状溝部に沿って移動自在に取付けて移動ランナとし、円弧状レール部の円弧を、引き戸の中間部のランナが回動支点側レール部の奥に位置した状態で該回動支点側レール部の奥に位置した中間部のランナを中心に引き戸を回動した際における移動ランナと反対側の端部に位置するランナが描く回動軌跡と一致させ、円弧状溝部の円弧の曲率半径を中間部のランナから移動ランナまでの長さに等しくし、引き戸の中間部のランナが回動支点側レール部の奥に位置すると共に移動ランナと反対側の端部に位置するランナが円弧状レール部の奥に位置した状態で移動ランナが円弧状溝部の引き戸の正面側で且つ端部レールの奥に位置するので、簡単な構成で、引き戸を回動して引き戸を閉じた状態で引き戸を直線レール部から背方に引き込んで段差が生じないように閉じることができると共に該引き戸の端面と隣接する壁や他の引き戸の端面との間の隙間を小さくした状態で閉じることができて、閉状態における収まりがよく、更に、引き戸を直線レール部から背方に引き込んで閉じるに当たり、引き戸に設けたガイド部材の円弧状溝部を移動ランナが移動できる構成としてあるので、レールが開口部から背方に大きく突出して床面まで至らないようにできる。
【００７４】
また、請求項４記載の発明にあっては、上記のように構成したので、簡単な構成で、２枚の引き戸のうちいずれかの引き戸を閉じた状態で他の引き戸を回動して引き戸を開閉できるものであり、しかも両引き戸を直線レール部から背方に引き込んで閉じた状態で両引き戸を段差が生じないように閉じることができると共に両引き戸の端面の隙間を小さくした状態で閉じることができて、閉状態における収まりがよいものである。
【００７５】
また、請求項５記載の発明にあっては、上記請求項４記載の発明の効果に加えて、第１の引き戸の３つのランナがいずれも直線レール部に位置しているとき、レールの一方の片側半部の直線レール部の傾斜レール部の入口と回動支点側レール部の入口とにそれぞれ第１の引き戸の一端部のランナと中間部のランナとが位置した状態でのみ第１の引き戸の３つのランナのうち２つのランナが直線レール部において２つの入口に対向して位置して第１の引き戸を直線レール部に対して傾斜する方向に走行可能とし且つこれ以外の状態では第１の引き戸の３つのランナのうち２つ以上のランナが直線レール部の入口以外の箇所に位置して第１の引き戸を直線レール部に沿った走行のみを可能とし、第２の引き戸の３つのランナがいずれも直線レール部に位置しているとき、レールの他方の片側半部の直線レール部の傾斜レール部の入口と回動支点側レール部の入口とにそれぞれ第２の引き戸の一端部のランナと中間部のランナとが位置した状態でのみ第２の引き戸の３つのランナのうち２つのランナが直線レール部において２つの入口に対向して位置して第２の引き戸を直線レール部に対して傾斜する方向に走行可能とし且つこれ以外の状態では第２の引き戸の３つのランナのうち２つ以上のランナが直線レール部の入口以外の箇所に位置して第２の引き戸を直線レール部に沿った走行のみを可能としてあるので、第１の引き戸、第２の引き戸が直線レール部を走行する際、第１の引き戸、第２の引き戸をそれぞれ閉じるために傾斜レール部と回動支点側レール部とに移行させる場合以外では必ず、３つのランナのうちの２つ以上のランナが直線レール部に沿った方向にのみ移動して引き戸の走行を正確且つスムーズに行えるものである。
【図面の簡単な説明】
【図１】（ａ）〜（ｄ）は本発明の第１実施形態の上レール部分における開閉順序を示す説明図である。
【図２】（ａ）〜（ｃ）は同上の第１実施形態の下レール部分における開閉順序を示す説明図である。
【図３】同上の一部省略した縦断面図である。
【図４】（ａ）〜（ｄ）は本発明の第２実施形態の上レール部分における開閉順序を示す説明図である。
【図５】（ａ）〜（ｃ）は同上の第２実施形態の下レール部分における開閉順序を示す説明図である。
【図６】同上の第２実施形態の上レールを示す平面図である。
【図７】（ａ）〜（ｆ）は本発明の第３実施形態の開閉順序を示す説明図である。
【図８】（ａ）〜（ｆ）は本発明の第４実施形態の開閉順序を示す説明図である。
【図９】（ａ）は補助部材を取付けた引き戸を示す平面図であり、（ｂ）は側断面図であり、（ｃ）は斜視図であり、（ｄ）は反対側から見た斜視図である。
【図１０】（ａ）〜（ｅ）は本発明の第５実施形態の開閉順序を示す説明図である。
【図１１】（ａ）〜（ｅ）は同上の作用説明図である。
【図１２】（ａ）〜（ｄ）は同上の作用説明図である。
【図１３】従来例を示す説明図である。
【図１４】他の従来例を示す説明図である。
【符号の説明】
１  開口部
２  レール
３  引き戸
４  直線レール部
５  回動支点側レール部
６  円弧状レール部
７  ランナ
８  傾斜レール部
９  端部レール部
１０  ガイド部材
１１  円弧状溝部
１２  第１円弧状レール部
１３  第２円弧状レール部
【図１】
2004293119.tif 000003
【図２】
2004293119.tif 000004
【図３】
2004293119.tif 000005
【図４】
2004293119.tif 000006
【図５】
2004293119.tif 000007
【図６】
2004293119.tif 000008
【図７】
2004293119.tif 000009
【図８】
2004293119.tif 000010
【図９】
2004293119.tif 000011
【図１０】
2004293119.tif 000012
【図１１】
2004293119.tif 000013
【図１２】
2004293119.tif 000014
【図１３】
2004293119.tif 000015
【図１４】
2004293119.tif 000016